(57)【特許請求の範囲】
【請求項１】
用紙を給紙する給紙部と、
前記給紙部から給紙された用紙に画像を形成する画像形成部と、
原稿用紙を読取る読取部と、
前記読取部によって読取られた原稿用紙の画像情報に、区画された所定の領域の入力が
可能な入力部と、
所定の情報を表示する表示部と、
前記読取部によって読取られた原稿用紙の色を判定し、前記給紙部から給紙される用紙に前記入力部によって入力された領域の画像を前記読取部によって読取られた原稿用紙の色とは異なる色で形成するよう前記画像形成部を制御し、前記読取部によって読み取られた原稿用紙を前記給紙部にセットすることを前記表示部に表示するよう制御する第１の制御を行う制御部と、
を有する画像形成装置。
【請求項２】
前記制御部は、前記読取部によって読取られた原稿用紙の色を判定し、前記給紙部から給紙される用紙に前記読取部によって読取られた原稿用紙の色とは異なる色且つ前記入力部によって入力された領域の画像と前記読取部によって読取られた原稿用紙の画像とを合わせた画像を形成するよう前記画像形成部を制御し、前記読取部によって読み取られた原稿用紙を前記給紙部にセットすることを前記表示部に表示しないよう制御する第２の制御を行う
請求項１に記載の画像形成装置。
【請求項３】
前記入力部は、第１のモードおよび第２のモードを選択的に入力可能であり、
前記制御部は、前記入力部によって前記第１のモードが入力された場合に前記第２の制御を行い、前記第２のモードが入力された場合に前記第１の制御を行う
請求項２に記載の画像形成装置。
【請求項４】
前記画像形成部は白色の記録材料を有し、
前記制御部は、前記読取部によって読取られた原稿用紙の色が有色であると判断する場合、前記入力部により入力された領域を前記白色の記録材料で用紙に形成するよう前記画像形成部を制御する
請求項１乃至請求項３のいずれか１項に記載の画像形成装置。
【請求項５】
前記入力部は、当該入力部によって入力された領域において、当該入力部によって手書きによる領域の入力をさらに受け付け可能とする
請求項１乃至請求項４のいずれか1項に記載の画像形成装置。
【発明の詳細な説明】
【技術分野】
【０００１】
本発明の実施形態は、画像形成装置に関する。
【背景技術】
【０００２】
従来の画像形成装置では、原稿用紙をコピーする際、メモ欄を設けて印刷する技術が知られている。しかしながら、メモ欄を作成する場合、用紙に形成される画像を小さくしてメモ欄を設ける場合が多い。このため、用紙に形成された画像が小さくなり、見にくくなる場合がある。また、近年、印刷に用いる用紙が多岐に渡り、特に用紙の色が白色でないカラー用紙を印刷に用いるケースが増加している。カラー用紙にメモ欄を形成する場合、用紙の色がカラーであるため、メモ欄に適さない場合がある。
【先行技術文献】
【特許文献】
【０００３】
【特許文献１】特開２００２−２３２６８１号公報
【発明の概要】
【発明が解決しようとする課題】
【０００４】
本発明の実施の形態が解決しようとする課題は、用紙を印刷する場合において、見やすいメモ欄を作成する画像形成装置を提供することである。
【課題を解決するための手段】
【０００５】
そこで上記課題を達成するため、本発明の実施形態では次のような手段を講じている。用紙を給紙する給紙部と、前記給紙部から給紙された用紙に画像を形成する画像形成部と、原稿用紙を読取る読取部と、前記読取部によって読取られた原稿用紙の画像情報に、区画された所定の領域の入力が可能な入力部と、所定の情報を表示する表示部と、前記読取部によって読取られた原稿用紙の色を判定し、前記給紙部から給紙される用紙に前記入力部によって入力された領域の画像を前記読取部によって読取られた原稿用紙の色とは異なる色で形成するよう前記画像形成部を制御し、前記読取部によって読み取られた原稿用紙を前記給紙部にセットすることを前記表示部に表示するよう制御する第１の制御を行う制御部と、を有する画像形成装置である。
【図面の簡単な説明】
【０００６】
【図１】本実施の形態における画像形成装置を概略的に示す断面図。
【図２】本実施の形態における画像形成装置のブロック図。
【図３】本実施の形態における原稿用紙の説明図。
【図４】本実施の形態における座標ファイルを概略的に示す説明図。
【図５】本実施の形態におけるレジストローラと定着器と転写部の関係を概略的に示す説明図。
【図６】本実施の形態における操作パネルに表示される原稿用紙の表示例を示した画面の説明図である。
【図７】本実施の形態における操作パネルに表示される原稿用紙にメモ欄を入力した画面の表示例を示す説明図である。
【図８】本実施の形態における操作パネルに表示される原稿用紙にメモ欄を入力し、このメモ欄にメモを入力した画面の表示例を示す説明図である。
【図９】本実施の形態におけるメモ欄のみコピーモードが選択された場合の第１の画像記憶エリアに記憶される画像情報を概略的に示す説明図である。
【図１０】本実施の形態における第２の画像記憶エリアに記憶される画像情報を概略的に示す説明図である。
【図１１】本実施の形態における画像形成装置のコピージョブの工程を示すフローチャートである。
【図１２】本実施の形態における画像形成装置のコピージョブの工程を示すフローチャートである。
【発明を実施するための形態】
【０００７】
以下に本発明の実施の形態を図面を用いて説明する。なお、本実施の形態では画像形成装置としてＭＦＰ（Ｍｕｌｔｉ−Ｆｕｎｃｔｉｏｎ Ｐｅｒｉｐｈｅｒａｌｓ）を例に挙げて説明をする。
【０００８】
本実施の形態を図１乃至図１２を参照して説明する。図１は、実施形態に係るＭＦＰ１００の構成例を概略的に示す断面図である。図１に示すようにＭＦＰ１００は、スキャナ部１、プリンタ部２（画像形成部）、操作パネル４（入力部）およびシステム制御部５を有する。
【０００９】
本実施の形態において図３に示す原稿用紙Ｇをスキャナ部１に載置するものとする。原稿用紙Ｇには文字が印刷されており、原稿用紙Ｇの色は例えば薄い黄色などの有色である。
【００１０】
スキャナ部１は、例えば、ＭＦＰ１００の本体上側に設置され、原稿の画像を読み取って画像データに変換する装置である。スキャナ部１は、周知の構成を有し、読取面における原稿の画像を画像データに変換する例えばＣＣＤラインセンサなどにより構成する。スキャナ部１は、原稿台ガラス（図示せず）に載置された原稿をスキャンするものであっても良いし、自動原稿送り装置（ＡＤＦ:Ａｕｔｏ Ｄｏｃｕｍｅｎｔ Ｆｅｅｄｅｒ）が搬送する原稿の画像を読み取るものであっても良い。スキャナ部１は、システム制御部５により制御される。
【００１１】
プリンタ部２は、記録媒体としての用紙Ｐに画像を形成する。本実施の形態では、プリンタ部２は、電子写真方式の画像形成部である。プリンタ部２は、カラー画像の場合、複数種類（例えば、イエロー（Ｙ）、シアン（Ｃ）、マゼンタ（Ｍ）、ブラック（Ｋ）、ホワイト（Ｈ）の５種類）のトナーを用いて画像を形成する。なお、プリンタ部２による画像の生成を行う周知構成についての詳細は、後述する。
【００１２】
図１に示す構成例において、プリンタ部２は、給紙部として、給紙カセット２０（２０Ａ、２０Ｂ、２０Ｃ）を有する。たとえば、各給紙カセット２０Ａ、２０Ｂ、２０Ｃは、ＭＦＰ１００本体の下部に挿脱可能な状態で設けられる。これらの給紙カセット２０Ａ、２０Ｂ、２０Ｃは、それぞれに設定した種類（例えば、サイズ、紙質）の用紙Ｐを収容する。また、これら給紙カセット２０Ａ、２０Ｂ、２０Ｃに例えばサイズの異なる用紙Ｐを収容した後に各サイズを対応する給紙カセットそれぞれに設定することも可能である。各給紙カセット２０Ａ、２０Ｂ、２０Ｃには給紙部センサが設けられている。給紙部センサは、給紙トレイ２２に収容されている用紙の収容量を検知する。この給紙部センサは例えば赤外線センサである。他に周知のマイクロスイッチを用いるなど、機械式のセンサも使用可能である。この給紙部センサは検知結果を後述のシステム制御部５へと送信する。また、プリンタ部２は、他の給紙部として、周知の手差しトレイ（図示せず）を有してもよい。
【００１３】
各給紙カセット２０Ａ、２０Ｂ、２０Ｃが収容する用紙Ｐに関する設定情報は、不揮発性メモリに記憶される。プリンタ部２は、設定情報に従って印刷処理に使用する用紙Ｐを収容する給紙カセットを選択する。プリンタ部２は、選択した給紙カセットから給紙した用紙Ｐに画像を印刷する。なお、プリンタ部２が手差しトレイを有する場合、操作パネル４から入力された手差しトレイにセットされた用紙Ｐのサイズを前述の不揮発性メモリに記憶すればよい。なお、この不揮発性メモリは後述のＨＤＤ５５である。なお、給紙カセット２０Ａの用紙Ｐは、原稿用紙Ｇと同様の色の用紙がセットされているものとする。
【００１４】
なお、以下の説明において、用紙は給紙部２０から排紙部３０へと搬送されるため、給紙部２０側を用紙搬送方向に対しての上流側とし、排紙部３０側を用紙搬送方向に対しての下流側とする。
【００１５】
図１に示す搬送ローラ２２は、プリンタ部２内で用紙の搬送路に沿って配置され用紙Ｐを搬送する。搬送ローラ２２は図示しないモータによって駆動される。搬送ローラ２２は、ピックアップローラ２１Ａ、２１Ｂ、又は２１Ｃにより対応する給紙カセット２０Ａ、２０Ｂ、又は２０Ｃから供給された用紙Ｐを後述する転写部２８よりも上流側に配置されるレジストローラ２４へ搬送する。レジストローラ２４は、後述する中間転写ベルト２７から用紙Ｐに画像を転写するタイミングで、当該用紙Ｐを転写位置へ搬送する。
【００１６】
以下に画像形成の詳細について説明する。図１に示す、画像形成部２５、露光部２６、中間転写ベルト２７、及び、転写部２８は、画像を形成する周知の画像形成手段として機能する。画像形成部２５は、用紙に転写する画像を形成する。図１に示すカラー画像を生成する構成例において、後に詳述するが、画像形成部２５Ｙは、原稿画像が色分解されてイエローに対応する画像をイエローのトナーで形成する。画像形成部２５Ｍは、同様にマゼンタのトナーで対応する画像を形成する。画像形成部２５Ｃは、シアンのトナーで対応する画像を形成する。画像形成部２５Ｋは、ブラックのトナーで対応する画像を形成する画像形成部２５Ｗは、ホワイトのトナーで対応する画像を形成する。そして、各画像形成部２５Ｙ、２５Ｍ、２５Ｃ、２５Ｋ、２５Ｗは、各色のトナー画像を中間転写ベルト２７上で重ね合わせて転写する。各画像形成部２５Ｙ、２５Ｍ，２５Ｃ，２５Ｋ，２５Ｗは、周知の構成、例えば、感光体ドラム、帯電チャージャ、トナーを含む現像部および除電部等（図１では図示のみ）からなっている。
【００１７】
以下に、電子写真方式での画像形成について詳述する。各画像形成部２５Ｙ、２５Ｍ、２５Ｃ、２５Ｋ、２５Ｗは、図示しないがそれぞれ電位センサおよび濃度センサなどの周知のセンサを有する。電位センサは、各画像形成部が有する周知の感光体ドラムの表面電位を検知するセンサである。各画像形成部２５Ｙ、２５Ｍ、２５Ｃ、２５Ｋ、２５Ｗにおいて、周知の帯電チャージャは、感光体ドラムが後述する露光部２６により露光される前に、その表面を帯電する。システム制御部５は、帯電チャージャによる帯電条件が変更できる。電位センサは、帯電チャージャにより表面が帯電された感光体ドラムにおける表面電位を検知する。濃度センサは、後述する中間転写ベルト２７上に転写したトナー像の濃度を検知する。また、濃度センサは、感光体ドラム上に形成したトナー像の濃度を検知するものであっても良い。
【００１８】
露光部２６は、前述のように各画像形成部２５Ｙ、２５Ｍ、２５Ｃ、２５Ｋ、２５Ｗの帯電された感光体ドラム上にレーザ光によりスキャナ部１で取得した原稿画像の静電潜像を形成する。各感光体ドラムに形成する静電潜像は、各色のトナーで現像する画像である。即ち、露光部２６は、画像データに応じて制御する各画像形成部に対応したレーザ光をポリゴンミラーなどの光学系を介して各感光体ドラムに照射する。露光部２６は、システム制御部５からの制御信号に応じてレーザ光のパワーを制御する。露光部２６は、レーザ光の発光を制御するためのパルス幅の変調量などもシステム制御部５からの制御信号に応じて制御する。
【００１９】
前述したように、各画像形成部２５Ｙ、２５Ｍ、２５Ｃ、２５Ｋ、２５Ｗは、それぞれの感光体ドラムに形成された静電潜像を現像部による各色のトナーで現像する。各画像形成部２５Ｙ、２５Ｍ、２５Ｃ、２５Ｋ、２５Ｗは、感光体ドラム上に可視像としてのトナー像を形成する。中間転写ベルト２７は、中間転写体である。画像を形成する場合には、各画像形成部２５Ｙ、２５Ｍ、２５Ｃ、２５Ｋ、２５Ｗは、感光体ドラム上に形成したトナー像を中間転写ベルト２７上に転写（１次転写）する。具体的には、各画像形成部２５Ｙ、２５Ｍ、２５Ｃ、２５Ｋ、２５Ｗは、１次転写位置（例えば、感光体ドラムと転写ベルトが接する部位）でトナー像に転写バイアスを与える。各画像形成部２５Ｙ、２５Ｍ、２５Ｃ、２５Ｋ、２５Ｗは、転写電流によって転写バイアスを制御する。各感光体ドラム上のトナー像は、それぞれの１次転写位置で転写バイアスにより中間転写ベルト２７に転写される。システム制御部５は、各画像形成部が１次転写処理に用いる転写電流を制御する。
【００２０】
転写部２８は、前記用紙Ｐの搬送路に沿って設けられた支持ローラ２８ａおよび２次転写ローラ２８ｂを有しており、中間転写ベルト２７上のトナー像を２次転写位置において前述のレジストローラ２４により転写タイミングを計って搬送される用紙Ｐに転写する。２次転写位置は、支持ローラ２８ａおよび２次転写ローラ２８ｂが中間転写ベルト２７を挟んで対向する位置である。転写部２８は、２次転写位置のベルト２７に転写電流によって制御する転写バイアスを与える。転写部２８は、転写バイアスにより中間転写ベルト２７上のトナー像を用紙Ｐに転写する。システム制御部５は、２次転写処理に用いる転写電流を制御する。
【００２１】
上述の転写部２８の下流側に配置された定着器２９は、転写されたトナーを用紙Ｐに定着させる機能を有する。たとえば、実施形態において、定着器２９は、用紙Ｐに与える熱および圧力により用紙Ｐにトナー像を定着させる。
【００２２】
図１と図５に示す構成例では、定着器２９は、加熱源２９ａを内蔵したヒートローラ（加熱部）２９ｂと、加圧機構２９ｄによって加圧状態で接する加圧ローラ（加圧部）２９ｃとにより構成する。加熱源２９ａは、周知の温度制御可能なヒータであれば良い。たとえば、加熱源２９ａは、ハロゲンランプ等のランプヒータで構成しても良いし、誘導加熱（ＩＨ）方式のヒータであっても良い。また、加熱源２９ａは、複数のヒータで構成しても良い。さらに定着器２９は更にヒートローラ２９ｂの温度を測定するための温度センサ２９ｅを有する。温度センサ２９ｅはヒートローラ２９ｂの温度を後述のシステム制御部５へと送信する。システム制御部５は、温度センサ２９ｅから送られてきた温度をもとに加熱源２９ａを制御して、ヒートローラ２９ｂの温度を制御する。加圧機構２９ｄは加圧ローラ２９ｃをヒートローラ２９ｂへと押圧する。加圧機構２９ｄは弾性部材によって構成される。加圧機構２９ｄによって加圧ローラ２９ｃがヒートローラ２９ｂへと押圧されていない場合、加圧ローラ２９ｃとヒートローラ２９ｂは離間され、それらの間には隙間が形成される。また、ヒートローラ２９ｂは駆動部２９ｆによって回転駆動する。加圧ローラ２９ｃはヒートローラ２９ｂに押圧された時に、ヒートローラ２９ｂに従動して回転駆動する。なお、図５に示すように、レジストローラ２４、転写部２８、定着器２９が搬送方向下流に行くに従って設けられる。
【００２３】
用紙Ｐにトナー像を定着させる定着処理において、給紙カセット２０Ａに収納されている用紙Ｐをピックアップローラ２１Ａにて搬送路へピックアップして、転写部２８へ用紙Ｐを搬送する。転写部２８にて前述のように用紙Ｐへ画像が転写される。定着器２９は所定の定着温度になったヒートローラ２９ｂと加圧ローラ２９ｃによりトナー像が転写された用紙Ｐを加圧しつつ定着温度で加熱する。これにより、定着器２９は、用紙Ｐにトナー像を定着させる。
【００２４】
定着処理が終わると、定着器２９の下流に配置された図示しない周知の分岐機構により、使用者の処理要求に応じて、定着処理した用紙Ｐを排紙部３０あるいはＡＤＵ（Ａｕｔｏｍａｔｉｃ  Ｄｕｐｌｅｘ  Ｕｎｉｔ）３１の何れかへ搬送する。定着器２９により定着処理した用紙Ｐを排紙する場合、当該用紙Ｐは、排紙部３０へ搬出される。また、定着器２９により定着処理した用紙Ｐの裏面にも画像を形成する場合、用紙Ｐは、一旦排紙部３０側へ搬送された後、スイッチバックしてＡＤＵ３１へ搬送される。この場合、ＡＤＵ３１は、スイッチバックにより反転させた用紙Ｐを図１に示すように再度レジストローラ２４の上流側に供給する。
【００２５】
操作パネル４は、ユーザインターフェースである。操作パネル４は、通常ＭＦＰ１００本体の上部前側に配置され、スタートボタンキーなどの周知の各種のハードキーの入力ボタンとタッチパネル４ｂを具備する表示部４ａとを有する。システム制御部５は、操作パネル４の表示部４ａに表示する内容を制御する。なお、操作パネル４には各種ソフトウェアキーの表示も行われ、この表示されたソフトウェアキーをタッチすることで、各種の操作情報の入力を可能にする。例えば、操作者はスキャナ部１に載置した原稿用紙Ｇをコピーする場合、操作者はこの操作パネル４を操作して、通常コピーモード、メモ欄挿入コピーモード（第１のモード）、メモ欄のみコピーモード（第２のモード）のいずれかを選択する。これら３つのモードは表示部４ａにソフトウェアキーとして表示される。また、操作が各種操作を完了すると、図６から図８に示すように、操作者は操作パネル４の下部に表示される完了キーＫを押下する。また、操作パネル４は、表示部４ａのタッチパネル４ｂあるいは入力ボタンで入力した情報をシステム制御部５へ出力する。
【００２６】
ここで、各モードに関して説明を行う。通常コピーモードはスキャナ部１に載置された用紙Ｐをコピーする周知のモードであるので説明を省略する。メモ欄挿入コピーモードは、コピーする際に、メモ欄を挿入して印刷するモードである。メモ欄のみコピーモードはコピー元の原稿にメモ欄を印刷するモードである。
【００２７】
メモ欄挿入コピーモードは、スキャナ部１に載置した用紙Ｐをコピーする際、コピーする用紙に図６から図８に示すようにメモ欄Ｍを挿入して用紙Ｐをコピーするモードである。まず、操作者がタッチパネル４ｂを操作して、メモ欄挿入コピーモードを選択する。システム制御部５はスキャナ部１に載置された用紙Ｐをカラー読取で読取る。なお、メモ欄挿入コピーモードが選択されると、操作者がカラーコピーやモノクロコピーのどちらを選択したかを問わず、一旦はカラーで原稿を読取り、用紙の色を判別する。用紙の色を判別した後は、操作者がモノクロコピーを選択している場合は、読取った画像情報をモノクロ画像に変換する。そして、図６に示すように、操作パネル４に読取った用紙Ｐを表示する。操作者はこの表示された用紙Ｐを視認し、タッチパネル４ｂを操作して、メモ欄Ｍ（図７参照）を挿入する座標を入力する。メモ欄Ｍを挿入する座標は始点と終点の２点を入力することにより、四角形状のメモ欄Ｍを画面上に形成する。メモ欄Ｍを入力すると図７のような画面を操作パネル４に表示する。その後、操作者は完了キーＫを押下する。すると、用紙Ｐにテキストボックスが挿入された画像を、プリンタ部２で形成し、印刷を行う。なお、このとき用紙Ｐの色が有色か白地かを確認し、有色であるならメモ欄Ｍの下地を白のトナーで形成し、白地であるならメモ欄Ｍをブラックのトナーで作成し、当該枠内の画像の形成を行わないようにする。
【００２８】
メモ欄のみコピーモードは、用紙Ｐの画像の印刷は行わずメモ欄Ｍを印刷するモードである。換言するなら、スキャナ部１に載置した原稿用紙Ｇに、メモ欄Ｍを印刷する場合に用いるモードである。即ち、操作者は操作パネル４のソフトウェアキーを操作して、メモ欄のみコピーモードを選択する。すると、システム制御部５はスキャナ部１に載置された用紙Ｐをカラー読取で読取る。なお、メモ欄のみコピーモードもまた、メモ欄挿入コピーモードと同様に、操作者がカラーコピーやモノクロコピーのどちらを選択したかを問わず、一旦はカラーで原稿を読取り、用紙の色を判別する。用紙の色を判別した後は、操作者がモノクロコピーを選択している場合は、読取った画像情報をモノクロ画像に変換する。そして、図６に示すように、表示部４ａに読取った用紙Ｐを表示する。操作者はこの表示された用紙Ｐを視認し、タッチパネル４ｂを操作して、メモ欄Ｍを挿入する座標を入力する。メモ欄Ｍを入力すると図７のような画面を操作パネル４に表示する。入力完了後、操作者はスキャナ部１から用紙Ｐを抜き取り、給紙部２０の任意の給紙カセットに用紙Ｐをセットし、操作者はスタートボタンを押下する。すると、用紙Ｐにメモ欄Ｍが印字される。なお、メモ欄挿入コピーモードおと同様に、用紙Ｐの色が有色か白地かを確認し、有色であるならメモ欄Ｍの下地を白のトナーで形成し、白地であるならメモ欄Ｍをブラックのトナーで作成し、当該枠内の画像の形成を行わないようにする。
【００２９】
また、これらメモ欄挿入コピーモードとメモ欄のみコピーモードの選択時において、操作パネル４の画面上にメモ欄Ｍを形成した後、タッチペンなどを用いて操作パネル４をタッチすることにより文字入力をうけつける周知の手法でもって、メモ欄Ｍに手書き入力を受け付けてもよい。
【００３０】
次に、ＭＦＰ１００の制御系の構成について説明する。図２は本実施の形態のＭＦＰ１００のブロック図である。システムバス５２を介して、ＣＰＵ（Ｃｅｎｔｒａｌ  Ｐｒｏｃｅｓｓｉｎｇ  Ｕｎｉｔ）５１、ＲＯＭ（Ｒｅａｄ  Ｏｎｌｙ  Ｍｅｍｏｒｙ）５３、ＲＡＭ（Ｒａｎｄｏｍ  Ａｃｃｅｓｓ  Ｍｅｍｏｒｙ）５４、ＨＤＤ（Ｈａｒｄ  Ｄｉｓｋ  Ｄｒｉｖｅ）５５、外部Ｉ／Ｆ（Ｉｎｔｅｒｆａｃｅ）５６、プリンタ部２、操作パネル４が接続される。ＣＰＵ５１とＲＯＭ５３とＲＡＭ５４とでシステム制御部５を構成する。
【００３１】
ＲＯＭ５３には、ＣＰＵ５１により実行されるプログラムや閾値を予め記憶する。
【００３２】
ＲＡＭ５４には、ＣＰＵ５１が実行するプログラムを展開するエリアと、プログラムによるデータ処理の作業領域となるワークエリアなどの様々なメモリエリアを動的に形成する。このＲＡＭ５４には印刷する画像情報を保存する第１の画像記憶エリアを有する。この第１の画像記憶エリアに記憶する画像情報をもとに画像形成を行い、中間転写ベルト２７に１次転写を行う。この第１の画像記憶エリアに記憶する画像情報は、外部Ｉ／Ｆ５６を通じて外部から受信を行う、又はスキャナ部１を通じて用紙Ｐの画像を取り込んで記憶する。第１の画像記憶エリアには、これらに加えて操作者が入力したメモ欄の画像も取り込んで記憶する。更に、ＲＡＭ５４は第２の画像記憶エリアを有する。この第２の画像記憶エリアは図１０に示すように、メモ欄の欄内に形成する画像を記憶する。第１の画像記憶エリアに記憶する画像情報が用紙に印刷された後に、第１の画像記憶エリアが印刷された用紙と同一の面に第２の画像記憶エリアに記憶する画像情報を印刷する。
【００３３】
また、ＲＡＭ５４には、メモ欄挿入コピーモード又はメモ欄のみコピーモードが選択された場合において、操作パネル４から入力されたメモ欄Ｍを挿入するための座標を記憶する座標ファイル６０を有する。座標ファイル６０は図４に示すように始点エリアとこれに対応する終点エリアを有する。始点エリアには、メモ欄Ｍの座標入力時において、操作者が入力したＸ座標とＹ座標が入力される。終点エリアには始点エリアの入力完了後に続けて入力されたＸ座標とＹ座標の値が入力される。システム制御部５はこの座標ファイル６０の値をもとに第１の画像記憶エリアの画像情報を修正する。
【００３４】
ＲＡＭ５４は、フラグエリアを有する。フラグエリアには、通常コピーモード、メモ欄のみコピーモード、メモ欄挿入コピーモードの各モードを管理する各フラグを記憶する。システム制御部５はこのフラグエリアに記憶されているフラグをもとにＭＦＰ１００を制御する。なお、本実施の形態では、フラグエリアに、例えば通常コピーモードは「００」、メモ欄のみコピーモードは「０１」、メモ欄挿入コピーモードは「１１」を記憶する。デフォルトでは「００」の値が記憶されているものとする。
【００３５】
更に、ＲＡＭ５４は用紙色エリアを有する。用紙色エリアは用紙Ｐの色が白色か有色かを管理するフラグを記憶するエリアである。本実施の形態では、例えば、白色の場合は「００」が記憶され、有色の場合は「０１」が記憶される。デフォルトでは「００」の値が記憶されているものとする。
【００３６】
ＨＤＤ５５は、ＭＦＰ１００を動作させるＯＳ（Ｏｐｅｒａｔｉｎｇ  Ｓｙｓｔｅｍ）がインストールされる。また、前述したように、ＨＤＤ５５の所定の領域には、各給紙カセット２０Ａ、２０Ｂ、２０Ｃに、どのような用紙が収納されているかを記憶している。
【００３７】
図２に戻り、外部Ｉ／Ｆ５６は、例えばクライアント端末（ＰＣ）などの外部装置と通信するためのインターフェースである。外部Ｉ／Ｆ５６は、外部装置からのプリント要求に応じたプリントデータを受信する。外部Ｉ／Ｆ５６は、外部装置とデータ通信を行うインターフェースであれば良く、たとえば、外部装置にローカルに接続する機器（ＵＳＢメモリ等）であっても良いし、ネットワークを介して通信するためのネットワークインターフェースであっても良い（この外部Ｉ／Ｆ５６が入力部を担ってもよい）。
【００３８】
ＭＦＰ１００内の各搬送ローラやレジストローラ２４、駆動部２９ｆなど、用紙Ｐを搬送するための複数のモータやローラから搬送部を形成する。システム制御部５によって、これらモータは制御され、ヒートローラ２９ｂやレジストローラ２４などの各ローラの回転速度は変更される。なお、各ローラは、必要に応じて、個別に停止あるいは駆動、回転速度（搬送速度）などを変更できる。
【００３９】
スキャナ部１とプリンタ部２と操作パネル４の構成は前述したので省略する。
【００４０】
以上のような構成を備えるＭＦＰ１００に予め設定されているプログラムに基づいて、ＭＦＰ１００は図１１と図１２に示すコピージョブを実行する。
【００４１】
スキャナ部１に図３に示すような用紙Ｐを載置されているものとする。用紙Ｐの色は有色とする（例えば薄い黄色）。また、給紙カセット２０Ａには用紙Ｐと同色の用紙が載置されているものとする。そして、操作者は操作パネル４を操作して、カラーコピーを選択し、メモ欄挿入コピーモード又はメモ欄のみコピーモードを選択する場合を例に挙げて説明を行う。更にメモ欄Ｍの座標を入力後、操作者はタッチペンなどを用いて、メモ欄Ｍの内容「ＣＣ・・・・・・」と記載したものとする。
【００４２】
図１１に示すフローチャートで、システム制御部５は、操作パネル４のソフトウェアキーボードの信号から、メモ欄挿入コピーモード又はメモ欄のみコピーモードのどちらが選択されたかを検知する（ＡＣＴ１０１）。
【００４３】
システム制御部５は、例えば、メモ挿入コピーモードが選択されたと判断すると（ＡＣＴ１０１のＹｅｓ）、ＲＡＭ５４のフラグエリアに「１１」を記憶する（ＡＣＴ１０２）。他方、システム制御部５はメモ欄のみコピーモードが選択されたと判断すると（ＡＣＴ１０１のＮｏ）、ＲＡＭ５４のフラグエリアに「０１」を記憶する（ＡＣＴ１０３）。
【００４４】
続いて、システム制御部５はスキャナ部１を起動し、用紙Ｐをカラー読取で読取る。読取った画像情報は、ＲＡＭ５４の第１の画像記憶エリアに記憶する（ＡＣＴ１０４）。
【００４５】
続いて、システム制御部５は読取った用紙Ｐの用紙の色が白か有色かを判断する。この判別にはＲＡＭ５４の第１の画像記憶エリアに記憶した画像情報をマクロ認識又はミクロ認識などの周知の解析手法で解析して判別を行う。そして用紙Ｐの用紙の色が白ならばＲＡＭ５４の用紙色エリアに「００」を記憶し、白以外なら「０１」を記憶する。本実施の形態では用紙Ｐは有色であるので用紙色エリアには「０１」が記憶される（ＡＣＴ１０５）。なお、本実施の形態ではカラーコピーが選択されているため、画像情報をモノクロ画像に変換することは行わないが、モノクロコピーを操作者が選択している場合は、画像情報をカラー画像からモノクロ画像へ変換する。
【００４６】
システム制御部５はＲＡＭ５４の第１の画像記憶エリアに記憶した用紙Ｐを図６に示すように、操作パネル４に表示する（ＡＣＴ１０６）。
【００４７】
システム制御部５は、タッチパネル４ｂがタッチされることによるメモ欄Ｍの座標情報の入力を受け付ける。座標情報を入力すると、図７に示すように操作パネル４に表示されている用紙Ｐにメモ欄Ｍを表示する。また、始点と対応する終点の座標情報はＲＡＭ５４の座標ファイル６０に記憶する（ＡＣＴ１０７）。
【００４８】
続いて、システム制御部５は、タッチパネル４ｂの完了キーＫが押下されたかを判断する（ＡＣＴ１０８）完了キーＫが押下されない場合は（ＡＣＴ１０８のＮｏ）、ＡＣＴ１０７に戻り、座標情報の入力受付を継続する。
【００４９】
他方、システム制御部５は、タッチパネル４ｂの完了キーＫが押下されたと判断する場合（ＡＣＴ１０８のＹｅｓ）、座標ファイル６０のデータをもとにＲＡＭ５４の第１の画像記憶エリアを修正する。本実施形態では図７に示す操作パネル４の画面に表示されるような用紙Ｐの画像を、第１の画像記憶エリアに保存する（ＡＣＴ１０９）。
【００５０】
ＡＣＴ１０９にて第１の画像記憶エリアに画像を保存した後、システム制御部５は、表示したメモ欄Ｍへの手書き入力を受け付ける。メモ欄Ｍへの書き込みを操作者が望まない場合は、ＡＣＴ１０８のＹｅｓに続けて、完了キーＫのキー信号がシステム制御部５へ入力される。本実施の形態では図８に示すように操作者はタッチペンなどを用いて、「ＣＣ・・・・・・」と記載したものとする。メモ欄Ｍへの入力が完了すると、メモ欄に入力された画像情報を図１０に示すように、ＲＡＭ５４の第２の画像記憶エリアに記憶する。つまり、本実施の形態では、第１の画像記憶エリアには図７に示す操作パネル４の画面に表示されるような画像情報が保存され、第２の画像記憶エリアには図１０のような画像情報が記憶される。システム制御部５は画面下部の完了キーＫが押下されたことを検知する（ＡＣＴ１１０）。
【００５１】
ＡＣＴ１１０にて完了キーＫが押下されると、システム制御部５はＲＡＭ５４のフラグエリアに「１１」が記憶されているか、換言するならメモ欄挿入コピーモードが選択されているかを確認する（ＡＣＴ１１１）。
【００５２】
ＲＡＭ５４のフラグエリアに「１１」が記憶されていると判断する場合（ＡＣＴ１１１のＹｅｓ）、続いてシステム制御部５はＲＡＭ５４の用紙色エリアに記録されているフラグを確認する。換言するなら用紙の色を確認する（ＡＣＴ１１２）。
【００５３】
ＲＡＭ５４の用紙色エリアに「０１」が記憶されているとシステム制御部５が判断するなら（ＡＣＴ１１２のＹｅｓ）、ＲＡＭ５４の座標ファイル６０の値を参照し、ＲＡＭ５４の第１の画像記憶エリアに記憶する画像情報のメモ欄をホワイトのトナーで形成するよう、ＲＡＭ５４の第１の画像記憶エリアに記憶する画像情報を修正する（ＡＣＴ１１３）。
【００５４】
他方、システム制御部５は、用紙色エリアに「００」が記憶されているなら、換言するなら用紙Ｐの色が白色であると判断するなら（ＡＣＴ１１２のＮｏ）、ＲＡＭ５４の座標ファイル６０の値を参照し、ＲＡＭ５４の第１の画像記憶エリアに記憶する画像情報のメモ欄Ｍを、ブラックのトナーで枠線を形成するのみで枠内はトナーでの画像形成は行われないよう画像情報を修正する（ＡＣＴ１１４）。
【００５５】
そしてシステム制御部５はスタートボタンキーが押下されたことを確認する（ＡＣＴ１１５）。
【００５６】
他方、ＡＣＴ１１１において、ＲＡＭ５４のフラグエリアに「０１」が記憶されていると判断する場合（ＡＣＴ１１１のＮｏ）、つまりはメモ欄のみコピーモードが選択されている場合、システム制御部５はＲＡＭ５４の用紙色エリアに記録されているフラグを確認する。即ち、用紙の色を確認する（ＡＣＴ１１６）。
【００５７】
ＲＡＭ５４の用紙色エリアに「０１」が記憶されているとシステム制御部５が判断するなら（ＡＣＴ１１６のＹｅｓ）、ＲＡＭ５４の座標ファイル６０の値を参照し、図９に示すように、ＲＡＭ５４の第１の画像記憶エリアの画像情報のメモ欄Ｍを残して削除する。また、このメモ欄Ｍは白色のトナーで作成される（ＡＣＴ１１７）。
【００５８】
他方、システム制御部５は、用紙色エリアに「００」が記憶されているなら、即ち、用紙Ｐの色が白色であると判断するなら（ＡＣＴ１１６のＮｏ）、ＲＡＭ５４の座標ファイル６０の値を参照し、図９に示すように、ＲＡＭ５４の第１の画像記憶エリアの画像情報のメモ欄Ｍを残して削除する。ＲＡＭ５４の第１の画像記憶エリアにメモ欄Ｍのみの画像情報を作成する。このとき、メモ欄Ｍはブラックのトナーで枠線を追加するのみで、枠内はトナーでの画像形成は行われない（ＡＣＴ１１８）。
【００５９】
システム制御部５は操作パネル４に用紙のセットを指示する（ＡＣＴ１１９）。この指示を受けて、操作者はスキャナ部１に載置した用紙Ｐを給紙部２０に載置する。この載置が完了した後、操作者はスタートボタンキーを押下する（ＡＣＴ１１５）。
【００６０】
ＡＣＴ１１５にて、システム制御部５はスタートボタンキーが押下されたことを確認すると、図１２に示すようにＲＡＭ５４の第２の画像記憶エリアに画像を記憶しているかの判定を行う（ＡＣＴ１２０）。
【００６１】
ＲＡＭ５４の第２の画像記憶エリアに画像を記憶しているとシステム制御部５が判断すると（ＡＣＴ１２０のＹｅｓ）、給紙部２０の給紙カセット２０Ａから用紙を給紙する。そして、画像形成部２５を用いて、ＲＡＭ５４の第１の記憶エリアに記憶する画像情報を用紙Ｐへと形成する。用紙Ｐへと画像を形成後、定着部２９によって用紙に転写した画像を定着させることより、画像の印刷を行う（ＡＣＴ１２１）。
【００６２】
続いて、ＲＡＭ５４の第２の画像記憶エリアに記憶する画像情報を用紙に印刷する。ＲＡＭ５４の第１の記憶エリアに記憶する画像情報印刷後、用紙を反転させずに、ＡＤＵ３１を用いて、再び画像形成部２５の転写部２８へ用紙を搬送する。そして、画像形成部２５を用いて、ＲＡＭ５４の第２の画像記憶エリアに記憶する画像情報を用紙Ｐに転写し、定着部２９を用いて定着させて、第２画像の印刷を行う（ＡＣＴ１２２）。その後、排紙部３０へ印刷した用紙を排出して処理を終了する。
【００６３】
一方、ＲＡＭ５４の第２の画像記憶エリアに画像を記憶していないとシステム制御部５が判断すると（ＡＣＴ１２０のＮｏ）、給紙部２０の給紙カセット２０Ａから用紙を給紙する。そして、画像形成部２５を用いて、ＲＡＭ５４の第１の記憶エリアに記憶する画像情報を用紙Ｐへと形成する。画像形成後、定着部２９によって用紙に転写した画像を定着させることより、画像の印刷を行い（ＡＣＴ１２３）、排紙部３０へと排紙し、処理を完了する。
【００６４】
以上により、用紙の色がカラーである場合、用紙の色とは異なる色、例えば、白色のトナーでメモ欄の領域画像が形成される。このため、用紙の色がどのような色であっても、操作者にとって使用しやすいメモ欄を形成することが可能である。また、メモ欄のみを印刷するモードも選択可能であるので、有色である原紙にメモ欄を追加したい場合も柔軟に対応することが可能となる。
【００６５】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００６６】
５       システム制御部
２９     定着器
５４     ＲＡＭ
５５     ＨＤＤ
１００   ＭＦＰ
【図１】
0006755098.tif 000002
【図２】
0006755098.tif 000003
【図３】
0006755098.tif 000004
【図４】
0006755098.tif 000005
【図５】
0006755098.tif 000006
【図６】
0006755098.tif 000007
【図７】
0006755098.tif 000008
【図８】
0006755098.tif 000009
【図９】
0006755098.tif 000010
【図１０】
0006755098.tif 000011
【図１１】
0006755098.tif 000012
【図１２】
0006755098.tif 000013